(57)【特許請求の範囲】
【請求項１】
ケース部材と、該ケース部材内に摺動自在に受容され且つその両面に互いに異なる形状のハートカムが形成されたラッチ部材と、前記ケース部材と前記ラッチ部材との間に設けられ、前記ラッチ部材を前記ケース部材から突出させる方向へ付勢する弾発部材と、長方形の輪の一部を切り欠いた形状をなし且つその遊端を前記ハートカムに係合させた上で前記ケース部材に支持されたトレース部材とを有するオルタネート式ロック装置であって、
前記トレース部材を前記ケース部材に揺動自在に支持し、前記ケース部材の側壁における前記トレース部材の揺動範囲に対応する部分を除去し、前記除去部分の内周縁で前記トレース部材の揺動範囲を規定するものとしたことを特徴とするオルタネート式ロック装置。
【請求項２】
前記トレース部材の外幅を前記ケース部材の外幅と同等以下としたことを特徴とする請求項１に記載のオルタネート式ロック装置。
【発明の詳細な説明】
【０００１】
【発明の属する技術分野】
本発明は、ハートカムを利用したプッシュロック／プッシュフリーの動作を行うオルタネート式ロック装置に関するものである。
【０００２】
【従来の技術】
ハートカムを利用したプッシュロック／プッシュフリーの動作を行うオルタネート式ロック装置が、特許第３０７２９１１号公報において既に公知となっている。
【０００３】
上記公報に開示されたロック装置は、ばね材の針金からなり、長方形の輪の一部を切り欠いた形状をなすトレース部材の閉鎖端を一方の部材に支持させると共に、他方の部材の両面に形成されたハートカムにその開放端を係合させることにより、両部材の相対移動を規制するためのものであり、以下に図６〜図１４を参照してその概略構造および作動要領を説明する。
【０００４】
このロック装置は、トレース部材１の支持部２が例えば固定部側に設けられ、ハートカムを形成してなるカム基部３が例えば可動部側に設けられており、支持部２に対してカム基部３を接離移動させることにより、トレース部材１とカム基部３のハートカムとが互いに係合、離脱し得るように構成されている。またカム基部３には、例えばコイルばねにより、図における右方への、つまりトレース部材１からカム基部３を離間させる向きの弾発力が常時作用している。
【０００５】
トレース部材１は、その開放端がカム基部３の両面に形成された２つのハートカム４・５を個別になぞる一対のトレース部６・７とされている。これら一対のトレース部６・７同士の対向端の間隔は、カム基部３の厚さよりも大きくされており、各トレース部６・７が各ハートカム４・５に係合した際には、トレース部６・７の先端はカム基部３とは接触せずにハートカム４・５に摺接するようになっている。なお、トレース部材１は、支持部２に揺動可能に支持されているが、その支持端１ａにて自由に揺動し得る角度が制限されている。
【０００６】
ハートカムは、互いに形状が異なる表ハートカム４と裏ハートカム５とからなっている。表ハートカム４は、カム基部３の紙面について表側に形成されており、実線で示されるように、カム基部３の略中央部に概ねハート形をなす島状の凸部を削り残した形状とされている。そしてカム基部３の進行方向後端側（図における右側）には、図における高さ方向について端壁８が設けられ、その中央部には、表ハートカム４の凹部４ａにその先端を向けた矢尻形をなす凸部９が形成されている。
【０００７】
他方、裏ハートカム５は、カム基部３の紙面について裏側に形成されており、破線で示すように、表ハートカム４よりも一回り小さく、且つ概ね表ハートカム４を上下反転させたような形状をなす島状の凸部をカム基部３の略中央部に残した上で、この凸部の外周を概ね一定の間隔で囲むガイド溝１０を彫り込んだ形状とされている。そしてカム基盤３の進行方向前端側（図における左側）に位置するガイド溝１０の始端側には、対応する裏トレース部７を導入するための導入部１０ａが形成されてる。なお、トレース部材１が自由に揺動し得る角度は、この導入部１０ａに入り込むことが可能な範囲に規定されている。
【０００８】
このように、表裏のハートカム４・５の外周輪郭が互いに異なっているため、これらの外周面をトレースする際に両トレース部６・７の軌跡は強制的に互いに異なるものとされ、このズレ分を復元させようとする捻り反力がトレース部材１の支持端１ａに作用するようになっている。
【０００９】
先ず、トレース部材１とカム基部３とが互いに離間した状態から、プッシュロック動作を行うべく、トレース部材１へ向けてカム基部３を左方へ移動させ、トレース部材１の両トレース部６・７間にカム基部３を突入させる（図６の状態）。
【００１０】
さらにカム基部３を押し込むと、裏ハートカム５におけるガイド溝の導入部１０ａに沿って表裏両トレース部６・７が移動するが、この導入部１０ａの出口端には表ハートカム４の尖端４ｂが整合しているので、表トレース部６は必ず表ハートカム４の上側外周面４ｃへと乗り上げる。この時、裏トレース部７は、表トレース部６に追従して裏ハートカム周囲のガイド溝の上側部分１０ｂに入り込む（図７の状態）。
【００１１】
ここで表ハートカム４の上側外周面４ｃと裏ハートカム５のガイド溝の上側部分１０ｂの下面（裏ハートカム５の上側の外周面）との間には上下方向についてのズレがあるので、両トレース部６・７には互いに上下に離間させようとする力が作用する。これに対し、両トレース部６・７を対向させようとする捻り反力が支持端１ａに作用するので、いかなる状態からスタートしても、両トレース部６・７は必ずこの方向へと誘導される。
【００１２】
さらにカム基部３を押し込み、表トレース部６が表ハートカム４の上側の角部４ｄに達したとき、両トレース部６・７同士間の上下のズレは最大となり、支持端１ａに作用する捻り反力も最大となる（図８の状態）。この状態でカム基部３に対する押込力を緩めた場合は、単純に元のフリー状態に戻る。
【００１３】
さらにカム基部３を押すと、両トレース部６・７間には捻り復元力が作用しているので、表ハートカム４の上側の角部４ｄを乗り越えた表トレース部６は下向きに移動する。これにより、表トレース部６が矢尻形凸部９の上面に衝当してクリック音を発すると共に、ガイド溝の上側部分１０ｂの終端部に入り込んでいる裏トレース部７との位置ずれがなくなる（図９の状態）。
【００１４】
ここまでがプッシュロック動作であり、オルタネート式ロック装置の可動部を一杯に押し込んだ状態である。ここで可動部、つまりカム基部３へのロック操作力（押込力）を解放すると、カム基部３に常時加わっている圧縮コイルばねの弾発付勢力によってカム基部３が右方へ押し戻され、両トレース部６・７は表ハートカム４の下向き斜面４ｅに案内されて下動する。その結果、表裏両ハートカム４・５の後方凹部４ａ・５ａに両トレース部６・７が係合し、ロック状態となる（図１０の状態）。
【００１５】
次にプッシュフリー動作を行うべく、再びカム基部３を押し込むと、表トレース部６が表ハートカム４の後方へと移動して矢尻形凸部９の下方の斜面９ａに突き当たる（図１１の状態）。ここで表裏両ハートカム４・５の形状設定により、ロック状態からカム基部３を押し込むと、両トレース部６・７は必ず下動させられるようになっている。そしてカム基部３を一杯に押し込むと、表トレース部６は矢尻形凸部９の下側へ入り込み、裏トレース部７は、裏ハートカム５の下側の角部５ｂに対向する位置となる（図１２の状態）。この状態でカム基部３への押込力を緩めても、裏ハートカム５の下側の角部５ｂに裏トレース部７が当接するために両トレース部６・７は上動し得ないので、再びロック状態に戻ることはなく、両トレース部６・７は必ず下動させられて、裏トレース部７がガイド溝の下側部分１０ｃに入り込み、表トレース部６はそれに追従する。
【００１６】
この状態からフリー操作力を完全に解放すると、カム基部３に常時加わっている圧縮コイルばねの付勢力によってカム基部３が押し戻され、表トレース部６は表ハートカム４の下側外周面４ｆに案内されて、また裏トレース部７は、裏ハートカム周囲のガイド溝の下側部分１０ｃに案内されて、それぞれカム基部３の前部へと移動する（図１３の状態）。ここで表ハートカム４の下側外周面４ｆの終端部と裏ハートカム５周囲のガイド溝の下側部分１０ｃの終端部との間には上下方向のズレがあり、これによって裏トレース部７には下向きの力が作用しているので、図１４に示す完全解除直前の状態でカム基部３に再び押込力を加えても、両トレース部６・７は必ず両ハートカム４・５の下側を移動し、再びロック位置へと戻ることはない。
【００１７】
上記の通り、裏トレース部７が裏ハートカム５のガイド溝の導入部１０ａから外れない範囲で固定部と可動部との相対移動範囲を設定するならば何ら問題は生じないが、可動部の収容可能スペースに制約がありながらそのストロークを大きくする要望に応えるには、ロック解除位置でトレース部６・７が導入部１０ａから完全に離脱するように構成しなければならない。このような要望にも応じられるようにするために、上記公報に記載の構造は、裏トレース部７が導入部１０ａから完全に離脱しても裏トレース部７が導入部１０ａに入り込める位置を保持するように、トレース部材１の支持端１ａを押さえつけて中立位置を規定している。
【００１８】
【発明が解決しようとする課題】
しかるに、このようにしてトレース部材１の支持端１ａを押さえつけてしまうと、トレース部材１には２つのハートカム４・５の形状差による以上の捻り変位が発生し、それによるトレース部６・７の押圧力がハートカム４・５に常に作用することになる。そのため、操作力が増大すると共に支持端１ａの応力が増大する上、ハートカム４・５が摩耗し易くなる。
【００１９】
本発明は、このような従来技術の問題点を解消すべく案出されたものであり、その主な目的は、トレース部とハートカムとが互いに完全分離しても作動の安定性を損なわずにコンパクト化を推進することができ、しかもトレース部のハートカムに対する押圧力が過大とならずに済むように改良されたオルタネート式ロック装置を提供することにある。
【００２０】
【課題を解決するための手段】
このような目的を果たすために、本発明は、ケース部材（２１）と、該ケース部材内に摺動自在に受容され且つその両面に互いに異なる形状のハートカム（４・５）が形成されたラッチ部材（３１）と、前記ケース部材と前記ラッチ部材との間に設けられ、前記ラッチ部材を前記ケース部材から突出する方向へ付勢する弾発部材（圧縮コイルばね３２）と、長方形の輪の一部を切り欠いた形状をなし且つその遊端を前記ハートカムに係合させた上で前記ケース部材に支持されたトレース部材（１）とを有するオルタネート式ロック装置において、前記トレース部材を前記ケース部材にて揺動自在に支持し、前記ケース部材の側壁における前記トレース部材の揺動範囲に対応する部分を除去し、前記除去部分（透かし孔２７）の内周縁（下縁２８）で前記トレース部材の揺動範囲を規定するものとした。
【００２１】
このようにすれば、トレース部材を自由に揺動させたにも関わらず、ケース部材の除去部の内側でトレース部材の揺動範囲が規定されるので、ハートカムとの係合可能範囲を外れる心配がない。
【００２２】
特に、上記トレース部材の外幅をケース部材の外幅と同等以下とすれば、揺動範囲のストッパをケース部材に設けたにも関わらず、装置全体としての幅寸法を増大させずに済む
【００２３】
【発明の実施の形態】
以下に添付の図面を参照して本発明について詳細に説明する。なお、前記した従来のものに対応する部分には同一の符号を付してその説明は省略する。
【００２４】
図１は、本発明によるラッチ装置のケースを示している。このケース２１は、合成樹脂材を射出成型してなるインナケース２２と、金属板を曲げ加工してなるアウタケース２３とからなり、両ケース２２・２３が協働して画成した空間Ｓ内に、後記するラッチ部材を摺動自在に受容するようになっている。
【００２５】
インナケース２２は、後端壁２４と上部梁２５とからなり、後端壁２４の上部にＣ字状に曲折したトレース部材１が、その遊端に設けられたトレース部６・７を上下に自由に旋回運動自在なように枢着されている。
【００２６】
上部梁２５は、図における手前側の側面が一部切除されており、トレース部材１における一対のトレース部の奥側の部分７は上部梁２５の下面２５ａで上向き揺動限度が規定されるが、手前側の部分６は奥側の部分７よりもこの切除部２５ｂの分だけ余計に上向きに変位可能とされている。
【００２７】
アウタケース２３の側板２６は、トレース部材１に対応する部分が切除されて透かし孔２７となっており、この透かし孔２７の下縁２８に両トレース部６・７が当接することで、トレース部材１の下向き揺動限度が規定されている。
【００２８】
ここでトレース部材１の外幅は、アウタケース２３における側板２６の外幅と同等以下とされており、トレース部材１の揺動範囲のストッパを側板２６に設けたにも関わらず、アウタケース２３の幅寸法が増大しないようにしている。
【００２９】
図２に示すように、ラッチ部材３１には、インナケース２２の後端壁２４に設けられたばね支持棒２９に支持された圧縮コイルばね３２を受容するためのばね受容部３３と、両面にハートカム４・５が形成されたカム基部３と、ストライカ３４と係合するコ字状をなすラッチ爪３５とからなり、合成樹脂材の射出成型にて一体形成されている。なお、カム基部３とラッチ爪３５とはヒンジ３６で連結されている。
【００３０】
図５に本実施例のハートカム４・５の詳細を示す。このロック装置は、要するにカム基部３の両面に形成された互いに形状の異なる２つのハートカム４・５のいずれか一方のプロフィールで対応する一方のトレース部を支配し、どちらのプロフィールで軌跡を規定するのかを、ストロークの範囲に応じて切り換えることによって移動の方向性を規定するものであり、この時の２つのトレース部間の位置ズレは、トレース部材自体の弾発力で吸収されるようにしたものである。従って、両ハートカム４・５の形状差は、トレース部の移動軌跡を一方向のみとなるように規制できさえすれば良いのであり、前記した公知の形式のものと機能的に等しい部分には同一の符号を付し、その作動要領についての詳細な説明は割愛する。なお、図５における実線の矢印は、表ハートカムのプロフィールでトレース部の軌跡が支配される領域を示し、破線の矢印は、裏ハートカムのプロフィールでトレース部の軌跡が支配される領域を示す。
【００３１】
ケース２１内にラッチ部材３１が没入した状態では、両トレース部６・７が両ハートカム４・５の後方凹部４ａ・５ａに係止して、ストライカ３４とラッチ爪３５とが互いに係合したロック状態が保持される（図２参照）。
【００３２】
ストライカ３４をケース２１内に押し込む、つまりプッシュフリー操作を行うと、前記した従来のものと同様のプロセスを経て、両トレース部６・７と両ハートカム４・５の後方凹部４ａ・５ａとの係合状態が解除される（図３参照）。そして圧縮コイルばね３２の弾発力によってラッチ部材３１が押し出され、ストライカ３４とラッチ爪３５との係合が解除される（図４参照）。
【００３３】
トレース部材１は側板２６の透かし孔２７内のみで揺動し、ラッチ部材３１が全ストローク移動してハートカム４・５からトレース部６・７が完全に離脱しても、ラッチ部材３１が押し込まれた時にはハートカム４・５に係合し得る位置をトレース部６・７が外れないように保持している。
【００３４】
【発明の効果】
このように本発明によれば、ケースを一部切除してトレース部材の揺動範囲を規定するものとしたので、ケースの側板を外方へ突出させずにストッパの機能を付与することができることから、ロック装置のより一層の小型化を推進する上に多大な効果を奏することができる。しかもトレース部材を自由に揺動可能に支持するので、一対のトレース部間には両ハートカムの輪郭のズレ分の捻り変位が生ずるだけなので、ハートカムに余計な力が加わらないために操作力および摩耗を低減できる上、トレース部材に作用する捻り応力も軽減できる。
【図面の簡単な説明】
【図１】本発明によるロック装置のケースの外観斜視図
【図２】本発明によるロック装置のロック状態を一部切除して示す正面図
【図３】本発明によるロック装置のロック解除途中の状態を示す正面図
【図４】本発明によるロック装置のロック解除状態を示す正面図
【図５】本発明によるロック装置のハートカムの正面図
【図６】従来のロック装置の作動要領の説明図でありプッシュロック操作開始状態を示す正面図
【図７】従来のロック装置の作動要領の説明図でありプッシュロック操作途中状態を示す正面図
【図８】従来のロック装置の作動要領の説明図でありプッシュロック操作途中状態を示す正面図
【図９】従来のロック装置の作動要領の説明図でありプッシュロック操作完了直前状態を示す正面図
【図１０】従来のロック装置の作動要領の説明図でありロック状態を示す正面図
【図１１】従来のロック装置の作動要領の説明図でありプッシュフリー操作開始状態を示す正面図
【図１２】従来のロック装置の作動要領の説明図でありプッシュフリー操作途中状態を示す正面図
【図１３】従来のロック装置の作動要領の説明図でありプッシュフリー操作途中状態を示す正面図
【図１４】従来のロック装置の作動要領の説明図でありプッシュフリー操作完了直前状態を示す正面図
【符号の説明】
１  トレース部材
２  支持部
３  カム基部
４  表ハートカム
５  裏ハートカム
６  表トレース部
７  裏トレース部
１０  ガイド溝
２１  ケース
２２  インナケース
２３  アウタケース
２４  後端壁
２５  上部梁
２６  側板
２７  透かし孔
２８  切欠部の下縁
【図１】
0003814517.tif 000002
【図２】
0003814517.tif 000003
【図３】
0003814517.tif 000004
【図４】
0003814517.tif 000005
【図５】
0003814517.tif 000006
【図６】
0003814517.tif 000007
【図７】
0003814517.tif 000008
【図８】
0003814517.tif 000009
【図９】
0003814517.tif 000010
【図１０】
0003814517.tif 000011
【図１１】
0003814517.tif 000012
【図１２】
0003814517.tif 000013
【図１３】
0003814517.tif 000014
【図１４】
0003814517.tif 000015